【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
前記装置がウェイクアップする第１の時間を示すターゲット・ウェイクアップ時間情報要素、およびワイヤレス通信デバイスからページングフレームを受信することに応答してアクションを実行するための命令を備えるメッセージをワイヤレスに受信するように構成され、前記ワイヤレス通信デバイスから前記ページングフレームを受信するように構成された受信機と、ここにおいて、前記装置がウェイクアップする前記第１の時間は、前記ページングフレームが受信され得る第２の時間を示す、
前記ページングフレームを受信することに応答して前記アクションを実行するように構成されたプロセッサと
を備える、装置。
【請求項２】
前記ページングフレームを受信することが、前記ページングフレームのアドレスを前記装置のアドレスと比較することを備える、請求項１に記載の装置。
【請求項３】
前記ページングフレームは、前記ワイヤレス通信デバイスがアクセスポイントであるかどうかを示す値を有する方向フィールドを備える、請求項１に記載の装置。
【請求項４】
前記ページングフレームが、タイミング情報を記憶するように選択的に構成可能である、請求項１に記載の装置。
【請求項５】
前記ページングフレームが、ヌルデータパケットを備える、請求項１に記載の装置。
【請求項６】
前記受信機が、前記装置がウェイクアップする前記第１の時間とは異なる第３の時間で前記メッセージをワイヤレスに受信するようにさらに構成される、請求項１に記載の装置。
【請求項７】
前記アクションが、
電力節約ポールフレームを送ることと、
パケット受信を待機することと、
ビーコンを受信することと、
配信トラフィック指示メッセージビーコンを受信することと
のうちの１つまたは複数を含む、請求項１に記載の装置。
【請求項８】
前記メッセージは、前記装置がアウェイクすることになる時間期間を示し、前記ページングフレームは、前記装置が前記示された時間期間内に前記ワイヤレス通信デバイスから受信する最初のフレームである、請求項１に記載の装置。
【請求項９】
前記メッセージは、前記装置がアウェイクすることになる時間期間を示し、前記装置は、前記示された時間期間内に前記ワイヤレス通信デバイスから前記ページングフレーム以外のいかなるフレームも受信しない、請求項１に記載の装置。
【請求項１０】
前記ページングフレームを受信した後で、スリープになり、前記アクションを実行するためにその後ウェイクアップするようにさらに構成される、請求項１に記載の装置。
【請求項１１】
ワイヤレス通信のための方法であって、
装置がウェイクアップする第１の時間を示すターゲット・ウェイクアップ時間情報要素、およびワイヤレス通信デバイスからページングフレームを受信することに応答してアクションを実行するための命令を備えるメッセージをワイヤレスに受信することと、ここにおいて、前記装置がウェイクアップする前記第１の時間は、前記ページングフレームが受信され得る第２の時間を示す、
前記ワイヤレス通信デバイスから前記ページングフレームを受信することと、
前記ページングフレームを受信することに応答して前記アクションを実行することと
を備える、方法。
【請求項１２】
前記ページングフレームを受信することが、前記ページングフレームのアドレスを前記装置のアドレスと比較することを備える、請求項１１に記載の方法。
【請求項１３】
前記ページングフレームは、前記ワイヤレス通信デバイスがアクセスポイントであるかどうかを示す値を有する方向フィールドを備える、請求項１１に記載の方法。
【請求項１４】
前記ページングフレームが、タイミング情報を記憶するように選択的に構成可能である、請求項１１に記載の方法。
【請求項１５】
前記ページングフレームが、ヌルデータパケットを備える、請求項１１に記載の方法。
【請求項１６】
前記アクションが、
電力節約ポールフレームを送ることと、
パケット受信を待機することと、
ビーコンを受信することと、
配信トラフィック指示メッセージビーコンを受信することと
のうちの１つまたは複数を含む、請求項１１に記載の方法。
【請求項１７】
前記メッセージは、前記装置がアウェイクすることになる時間期間を示し、前記ページングフレームは、前記装置が前記示された時間期間内に前記ワイヤレス通信デバイスから受信する最初のフレームである、請求項１１に記載の方法。
【請求項１８】
前記メッセージは、前記装置がアウェイクすることになる時間期間を示し、前記装置は、前記示された時間期間内に前記ワイヤレス通信デバイスから前記ページングフレーム以外のいかなるフレームも受信しない、請求項１１に記載の方法。
【請求項１９】
前記ページングフレームを受信した後で、スリープし、前記アクションを実行するためにその後ウェイクアップすることをさらに備える、請求項１１に記載の方法。
【請求項２０】
前記メッセージを受信することが、前記装置がウェイクアップする前記第１の時間とは異なる第３の時間で前記メッセージを受信することを備える、請求項１１に記載の方法。
【請求項２１】
ワイヤレス通信のための装置であって、
前記装置がウェイクアップする第１の時間を示すターゲット・ウェイクアップ時間情報要素、およびワイヤレス通信デバイスからページングフレームを受信することに応答してアクションを実行するための命令を備えるメッセージをワイヤレスに受信するための手段と、ここにおいて、前記装置がウェイクアップする前記第１の時間は、前記ページングフレームが受信され得る第２の時間を示す、
前記ワイヤレス通信デバイスから前記ページングフレームを受信するための手段と、
前記ページングフレームを受信することに応答して前記アクションを実行するための手段と
を備える、装置。
【請求項２２】
前記ページングフレームを後に受信する前記手段が、前記ページングフレームのアドレスを前記装置のアドレスと比較するようにさらに構成される、請求項２１に記載の装置。
【請求項２３】
前記ページングフレームが、前記ワイヤレス通信デバイスがアクセスポイントであるかどうかを示す値を有する方向フィールドを備える、請求項２１に記載の装置。
【請求項２４】
前記ページングフレームが、タイミング情報を記憶するように選択的に構成可能である、請求項２１に記載の装置。
【請求項２５】
前記ページングフレームが、ヌルデータパケットを備える、請求項２１に記載の装置。
【請求項２６】
前記アクションが、
電力節約ポールフレームを送ることと、
パケット受信を待機することと、
ビーコンを受信することと、
配信トラフィック指示メッセージビーコンを受信することと
のうちの１つまたは複数を含む、請求項２１に記載の装置。
【請求項２７】
前記メッセージを受信する手段が、前記装置がウェイクアップする前記第１の時間とは異なる第３の時間で前記メッセージを受信するようにさらに構成される、請求項２１に記載の装置。
【手続補正２】
【補正対象書類名】明細書
【補正対象項目名】０１５３
【補正方法】変更
【補正の内容】
【０１５３】
[0171]上記の説明は、本開示の態様を対象としたものであるが、本開示の基本的な範囲を逸脱することなく、本開示の他の態様およびさらに別の態様も考案され得、本開示の範囲は、以下の特許請求の範囲によって決定される。
以下に本願発明の当初の特許請求の範囲に記載された発明を付記する。
［Ｃ１］
ワイヤレス通信のための装置であって、
前記装置がウェイクアップする時間、およびワイヤレス通信デバイスからページングフレームを受信することに応答してアクションを実行するための命令を備えるメッセージをワイヤレスに受信し、前記ワイヤレス通信デバイスから前記ページングフレームを受信するように構成された受信機と、
前記ページングフレームを受信することに応答して前記アクションを実行するように構成されたプロセッサと
を備える、装置。
［Ｃ２］
前記ページングフレームを受信することが、前記ページングフレームのアドレスを前記装置のアドレスと比較することを備える、Ｃ１に記載の装置。
［Ｃ３］
前記ページングフレームは、前記ワイヤレス通信デバイスがアクセスポイントであるかどうかを示す値を有する方向フィールドを備える、Ｃ１に記載の装置。
［Ｃ４］
前記ページングフレームが、タイミング情報を記憶するように選択的に構成可能である、Ｃ１に記載の装置。
［Ｃ５］
前記ページングフレームが、ヌルデータパケットを備える、Ｃ１に記載の装置。
［Ｃ６］
前記メッセージが、ターゲット・ウェイクアップ時間情報要素を備える、Ｃ１に記載の装置。
［Ｃ７］
前記装置がウェイクアップする前記時間は、前記ページングフレームが送信され得る時間を示す、Ｃ１に記載の装置。
［Ｃ８］
前記アクションが、
電力節約ポールフレームを送ることと、
パケット受信を待機することと、
ビーコンを受信することと、
配信トラフィック指示メッセージビーコンを受信することと
のうちの１つまたは複数を含む、Ｃ１に記載の装置。
［Ｃ９］
前記メッセージは、前記装置がアウェイクすることになる時間期間を示し、前記ページングフレームは、前記装置が前記示された時間期間内に前記ワイヤレス通信デバイスから受信する最初のフレームである、Ｃ１に記載の装置。
［Ｃ１０］
前記メッセージは、前記装置がアウェイクすることになる時間期間を示し、前記装置は、前記示された時間期間内に前記ワイヤレス通信デバイスから前記ページングフレーム以外のいかなるフレームも受信しない、Ｃ１に記載の装置。
［Ｃ１１］
前記ページングフレームを受信した後で、スリープになり、前記アクションを実行するためにその後ウェイクアップするようにさらに構成される、Ｃ１に記載の装置。
［Ｃ１２］
ワイヤレス通信のための方法であって、
装置がウェイクアップする時間、およびワイヤレス通信デバイスからページングフレームを受信することに応答してアクションを実行するための命令を備えるメッセージをワイヤレスに受信することと、
前記ワイヤレス通信デバイスから前記ページングフレームを受信することと、
前記ページングフレームを受信することに応答して前記アクションを実行することと
を備える、方法。
［Ｃ１３］
前記ページングフレームを受信することが、前記ページングフレームのアドレスを前記装置のアドレスと比較することを備える、Ｃ１２に記載の方法。
［Ｃ１４］
前記ページングフレームは、前記ワイヤレス通信デバイスがアクセスポイントであるかどうかを示す値を有する方向フィールドを備える、Ｃ１２に記載の方法。
［Ｃ１５］
前記ページングフレームが、タイミング情報を記憶するように選択的に構成可能である、Ｃ１２に記載の方法。
［Ｃ１６］
前記ページングフレームが、ヌルデータパケットを備える、Ｃ１２に記載の方法。
［Ｃ１７］
前記メッセージが、ターゲット・ウェイクアップ時間情報要素を備える、Ｃ１２に記載の方法。
［Ｃ１８］
前記装置がウェイクアップする前記時間は、前記ページングフレームが送信され得る時間を示す、Ｃ１２に記載の方法。
［Ｃ１９］
前記アクションが、
電力節約ポールフレームを送ることと、
パケット受信を待機することと、
ビーコンを受信することと、
配信トラフィック指示メッセージビーコンを受信することと
のうちの１つまたは複数を含む、Ｃ１２に記載の方法。
［Ｃ２０］
前記メッセージは、前記装置がアウェイクすることになる時間期間を示し、前記ページングフレームは、前記装置が前記示された時間期間内に前記ワイヤレス通信デバイスから受信する最初のフレームである、Ｃ１２に記載の方法。
［Ｃ２１］
前記メッセージは、前記装置がアウェイクすることになる時間期間を示し、前記装置は、前記示された時間期間内に前記ワイヤレス通信デバイスから前記ページングフレーム以外のいかなるフレームも受信しない、Ｃ１２に記載の方法。
［Ｃ２２］
前記ページングフレームを受信した後で、スリープになり、前記アクションを実行するためにその後ウェイクアップするようにさらに構成される、Ｃ１２に記載の方法。
［Ｃ２３］
ワイヤレス通信のための装置であって、
前記装置がウェイクアップする時間、およびワイヤレス通信デバイスからページングフレームを受信することに応答してアクションを実行するための命令を備えるメッセージをワイヤレスに受信するための手段と、
前記ワイヤレス通信デバイスから前記ページングフレームを受信するための手段と、
前記ページングフレームを受信することに応答して前記アクションを実行するための手段と
を備える、装置。
［Ｃ２４］
前記ページングフレームを後に受信する前記手段が、前記ページングフレームのアドレスを前記装置のアドレスと比較するようにさらに構成される、Ｃ２３に記載の装置。
［Ｃ２５］
前記ページングフレームが、前記ワイヤレス通信デバイスがアクセスポイントであるかどうかを示す値を有する方向フィールドを備える、Ｃ２３に記載の装置。
［Ｃ２６］
前記ページングフレームが、タイミング情報を記憶するように選択的に構成可能である、Ｃ２３に記載の装置。
［Ｃ２７］
前記ページングフレームが、ヌルデータパケットを備える、Ｃ２３に記載の装置。
［Ｃ２８］
前記メッセージが、ターゲット・ウェイクアップ時間情報要素を備える、Ｃ２３に記載の装置。
［Ｃ２９］
前記装置がウェイクアップする前記時間が、前記ページングフレームが送信され得る時間を示す、Ｃ２３に記載の装置。
［Ｃ３０］
前記アクションが、
電力節約ポールフレームを送ることと、
パケット受信を待機することと、
ビーコンを受信することと、
配信トラフィック指示メッセージビーコンを受信することと
のうちの１つまたは複数を含む、Ｃ２３に記載の装置。